(57)【要約】【課題】  建物の温度上昇抑制の向上化を図る。【解決手段】  建物の温度上昇抑制構造１は、建物１００の側面に設けられた開口部２と、開口部２の上方で外側に向けて張り出した張出部３と、開口部２に対向するように設置自在な可搬式の鉢植え植物７と、開口部２に対向配置された鉢植え植物７に対して撒水する撒水装置８とを備えている。【選択図】図３
2015208236.tif 000002
【特許請求の範囲】
【請求項１】
建物の側面に設けられた開口部と、
前記開口部の上方で外側に向けて張り出した張出部と、
前記開口部に対向するように設置自在な可搬式の鉢植え植物と、
前記開口部に対向配置された前記鉢植え植物に対して撒水する撒水装置とを備えることを特徴とする建物の温度上昇抑制構造。
【請求項２】
請求項１記載の建物の温度上昇抑制構造において、
前記開口部の外側に配置された透水性及び保水性を有する濡れ縁をさらに備え、
前記鉢植え植物は前記濡れ縁上に配置されていることを特徴とする建物の温度上昇抑制構造。
【請求項３】
請求項１又は２記載の建物の温度上昇抑制構造において、
前記開口部の外側で立設し、前記鉢植え植物の鉢よりも高く形成された塀部を備えることを特徴とする建物の温度上昇抑制構造。
【請求項４】
請求項１〜３のいずれか一項に記載の建物の温度上昇抑制構造において、
前記鉢植え植物の鉢は透水性を有していることを特徴とする建物の温度上昇抑制構造。
【請求項５】
請求項１〜４の何れか一項に記載の建物の温度上昇抑制構造において、
前記開口部の外側における周囲の少なくとも一部には、
互いに間隔をあけて配置される複数の支柱と、
前記複数の支柱間にわたって長尺に形成されており、前記複数の支柱間に横方向に架設されるとともに、上下方向に互いに間隔をあけて並列配置される複数の建材とが設けられていることを特徴とする建物の温度上昇抑制構造。
【発明の詳細な説明】
【技術分野】
【０００１】
本発明は、建物の温度上昇抑制構造に関する。
【背景技術】
【０００２】
従来、建物の近傍に鉢植えの植物を複数並設することにより、当該植物によって日光を遮り建物の温度上昇を抑制する技術が知られている（例えば特許文献１参照）。
【先行技術文献】
【特許文献】
【０００３】
【特許文献１】特開２０１２−３１６１９号公報
【発明の概要】
【発明が解決しようとする課題】
【０００４】
ここで、居住性又はエコロジーの観点から、建物の夏場の温度上昇をより一層抑制することが望まれている。
本発明の課題は、建物の温度上昇抑制の向上化を図ることである。
【課題を解決するための手段】
【０００５】
請求項１記載の発明に係る建物の温度上昇抑制構造１は、例えば図１〜図３に示すように、
建物１００の側面に設けられた開口部２と、
前記開口部２の上方で外側に向けて張り出した張出部３と、
前記開口部２に対向するように設置自在な可搬式の鉢植え植物７と、
前記開口部２に対向配置された前記鉢植え植物７に対して撒水する撒水装置８とを備えることを特徴としている。
【０００６】
請求項１記載の発明によれば、建物１００の開口部２に鉢植え植物７を対向配置できるので、張出部３とともに鉢植え植物７により建物１００の開口部２付近及び建物１００内部への日差しを遮ることができ、建物１００の開口部２付近及び建物１００内部の温度上昇を抑えることができる。さらに、開口部２に対向配置された鉢植え植物７に対して撒水装置８が撒水するので、この撒水によって鉢植え植物７周囲の温度を下げることができる。そして、鉢植え植物７の温度の低い空気を、開口部２を通じて建物１００内部に流入させることができるので、建物１００の温度上昇をさらに抑制することができる。
さらに、鉢植え植物７が可搬式であるので、開口部２から建物１００内に光を取り込みたいときには鉢植え植物７を別の場所に移動させて、開口部２までの光の通り道を確保することができる。
そして、撒水装置８によって鉢植え植物７に対する撒水が行われることにより、手動で撒水作業を行う場合と比しても水やりの手間を省くことができる。
【０００７】
請求項２記載の発明は、例えば図１〜図３に示すように、請求項１記載の建物の温度上昇抑制構造１において、
前記開口部２の外側に配置された透水性及び保水性を有する濡れ縁４をさらに備え、
前記鉢植え植物７は前記濡れ縁４上に配置されていることを特徴としている。
【０００８】
請求項２記載の発明によれば、透水性及び保水性を有する濡れ縁４上に鉢植え植物７が配置されているので、撒水装置８から撒かれた水が濡れ縁４の内部まで浸透し保たれることになる。これにより、水が乾くまでの時間を長くすることができ、気化熱による温度上昇抑制効果を長時間にわたって維持することができる。
【０００９】
請求項３記載の発明は、例えば図１〜図３に示すように、請求項１又は２記載の建物の温度上昇抑制構造１において、
前記開口部２の外側で立設し、前記鉢植え植物７の鉢７１よりも高く形成された塀部６を備えることを特徴としている。
【００１０】
請求項３記載の発明によれば、塀部６が鉢植え植物７の鉢７１よりも高く形成されているので、この塀部６の近傍に鉢植え植物７を配置すれば、塀部６の影が鉢７１にかかることになり、鉢７１や鉢植え植物７の温度上昇を抑制することができる。
【００１１】
請求項４記載の発明は、例えば図１〜図３に示すように、請求項１〜３のいずれか一項に記載の建物の温度上昇抑制構造１において、
前記鉢植え植物７の鉢７１は透水性を有していることを特徴としている。
【００１２】
請求項４記載の発明によれば、鉢植え植物７の鉢７１が透水性を有しているので鉢７１の表面からも水が気化することとなり、温度上昇をより抑制することができる。
【００１３】
請求項５記載の発明は、例えば図１〜図３に示すように、請求項１〜４の何れか一項に記載の建物の温度上昇抑制構造１において、
前記開口部２の外側における周囲の少なくとも一部には、
互いに間隔をあけて配置される複数の支柱５１と、
前記複数の支柱５１間にわたって長尺に形成されており、前記複数の支柱５１間に横方向に架設されるとともに、上下方向に互いに間隔をあけて並列配置される複数の建材５２とが設けられていることを特徴としている。
【００１４】
請求項５記載の発明によれば、開口部２の外側における周囲の一部に、複数の支柱５１間に架設された複数の建材５２が設けられているので、その複数の建材５２によって日光が遮られることになる。また、複数の建材５２は上下方向に互いに間隔をあけて並列配置されているので、気流の通り道は確保されることになる。これらのことから建物１００の温度上昇をより一層抑制することが可能となる。
【発明の効果】
【００１５】
本発明によれば、建物の温度上昇を抑制することができる。
【図面の簡単な説明】
【００１６】
【図１】本実施形態に係る建物の温度上昇抑制構造の概略構成を示す上面図である。
【図２】本実施形態に係る建物の温度上昇抑制構造の概略構成を示す斜視図である。
【図３】本実施形態に係る建物の温度上昇抑制構造の概略構成を示す側面図である。
【図４】図３に示す鉢７１の変形例を示す断面図である。
【発明を実施するための形態】
【００１７】
以下、図面を参照して本実施形態に係る建物の温度上昇抑制構造について説明する。
図１は、本実施形態に係る建物の温度上昇抑制構造の概略構成を示す上面図であり、図２は斜視図、図３は側面図である。
図１〜図３に示すように本実施形態に係る建物の温度上昇抑制構造１は、建物１００における日光が照射される側面部分に設置されるものである。本実施形態では建物１００の南側の側面部分に設置される場合を例示して説明する。
【００１８】
温度上昇抑制構造１は、建物１００の南側の側面に設けられた例えば窓や玄関などの開口部２と、開口部２の上方で外側に向けて張り出した例えば上階のバルコニーなどの張出部３と、開口部２の外側に配置された濡れ縁４と、濡れ縁４を挟むように東西方向に設けられた一対のルーバ５と、濡れ縁４の先端部に沿うように開口部２の外側で立設する塀部６と、濡れ縁４上に配置された可搬式の鉢植え植物７と、鉢植え植物７に対して撒水する撒水装置８とを備えている。なお、張出部３は、庇や屋根の軒、外壁のオーバーハング部のように、外側に向かって張り出すものであればよい。また、オーニングのような外部部品でもよい。
【００１９】
濡れ縁４は、透水（浸透）性及び保水性を有していて、その内部に水が浸透した状態を長時間にわたって維持できるようになっている。濡れ縁４を構成する保水性材料は、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態のコンクリートを固めたものが挙げられる。なお、軽石は産地により乾燥比重が多少ばらつくが、大きな相違はない。このような保水性材料で構成された濡れ縁４は、保水性能および透水（浸透）性能を有する。
また、配合比を容積で表すと、軽石（乾燥比重が０．４）７０〜８５容積％と、ポルトランドセメント３０〜１５容積％との配合物に対して水２０〜３０容積％を散布して混練するものである。
さらに、このように軽石を骨材とするコンクリートの含水比重は、セメントと砕石等の天然骨材とポルトランドセメントのみを使用したコンクリートの約６０％であり、乾燥比重は、約５０％である。
保水性能については、軽石を骨材として使用した濡れ縁４の含水比重は約１２００ｋｇ／ｍ３であり、およそ３００ｋｇ／ｍ３以上の水分を保水できる。また、浸透性能については、軽石で保水しきれなくなった水分を透過させるので、天然骨材を使用したコンクリートと同等の性能を得ることができる。
すなわち、このような軽石を骨材とする濡れ縁４を、例えば舗装面の舗装材として用いた場合、例えば濡れ縁４を５０ｍｍの厚みで舗装すると、含水重量は６０ｋｇ／ｍ２であり、乾燥重量は４５ｋｇ／ｍ２であるから１５リットル／ｍ２の水を保水することが可能となり、優れた性能を有している。
【００２０】
ルーバ５は、南北方向に互いに間隔をあけて配置される複数の支柱５１と、複数の支柱５１間にわたって長尺に形成されており、複数の支柱５１間に横方向に架設されるとともに、上下方向に互いに間隔をあけて並列配置される複数の建材５２とが設けられている。ルーバ５の一つの支柱５１は、開口部２が設けられた壁部１０１に沿うように設けられている。これにより、開口部２の外側における周囲の一部にルーバ５が配置されることになる。
【００２１】
建材５２は、基材と、この基材に設けられた疎水性を有する接着層と、前記接着層の表面に吸水性を有する多孔質材が密集して設けられてなる多孔質材層と、を備えており、親水性を有する光触媒物質が多孔質材層の表面に塗布されている。
また、前記接着層は、前記建材１自体を構成する基材の表面に設けられているものとする。つまり、この基材とは、前記接着層を設けるための支持体、または基盤としての役割を果たすものである。
前記基材は、本実施形態においてはアルミニウム等の金属からなる長尺な押出成形品が採用されており、中空筒状に形成される。基材の断面形状は、矩形、平行四辺形、逆三角形が採用され、本実施形態においては平行四辺形とされている。
なお、この基材の種類としては、アルミニウム等の金属だけでなく、外構用の建材として市場に流通しているもの、既存の製品の全てを採用することができるとともに、その形状も限定されるものではない。すなわち、その他の金属製のものや木製のもの、樹脂製のもの、セラミック等、様々なものが挙げられる。
【００２２】
前記接着層は、前記基材と前記多孔質材層との間に介在し、前記多孔質材を前記基材の表面に接着する接着剤からなる層である。
前記接着層を構成する接着剤としては、例えば前記基材への密着性、耐水性、耐候性に優れ、長期の屋外暴露においても劣化が少ないシリコーン樹脂系組成物を応用したものが用いられている。このような接着剤によれば、シリコーン樹脂系組成物を応用したものであるため優れた疎水性を有し、長期の屋外暴露においても劣化が少ないので、前記基材の表面を保護するのに好適である。
前記シリコーン樹脂系組成物としては、例えば、シリコーン樹脂、シリコーン樹脂の硬化触媒、変成シリコーン樹脂または／およびエポキシ樹脂を含有するもの等が用いられている。
【００２３】
前記多孔質材層は、前記吸水性を有する多孔質材によって前記接着層の表面を塗膜することによって構成されている。なお、前記多孔質材は、前記接着層の表面に対して吹き付けられている。より詳細には、前記多孔質材は、前記接着層の接着剤の塗布後であって、かつ乾燥する前に当該接着層に吹き付けられて付着している。これによって、前記接着層の外側に、前記多孔質材からなる多孔質材層を形成することができる。
前記多孔質材層を構成する前記多孔質材としては、例えば、珪藻土を焼き固めたイソライトや蛭石、ガラスを主原料とした無機質発泡バルーンが好適に用いられる。このような多孔質材は、親水性で表面張力が大きく、かつ一つ一つに数μｍ〜数十μｍの多数の細孔があり、これら細孔が吸水するため、吸水性を有する。また、前記多数の細孔に入った水は、水の表面張力により細孔内に保持されることになり、これら細孔内に入った水や隣接する多孔質材間に溜まった水が蒸発することになる。
また、前記多孔質材は、前記接着層の表面に密集して設けられている。すなわち、前記多孔質材は、前記接着層の表面に、密度の高い状態で集まっている。
【００２４】
また、多孔質材の表面には、光触媒物質が塗布されている。前記光触媒物質は、光（紫外線）を吸収することによって自身は変化することなく、他の物質の化学反応を促進する機能を有するものであり、その粒径が、前記多孔質材の粒径よりも小さい。本実施形態の光触媒物質としては光触媒酸化チタン（二酸化チタンからなる水系塗料）が好適に採用されている。
【００２５】
塀部６は、例えば溶岩フェンスであり、濡れ縁４上に配置された鉢植え植物７の鉢７１よりも高く形成されている。この塀部６の上部に撒水装置８が取り付けられている。塀部６は、支柱５１、建材５２で構成することも可能である。
撒水装置８は、例えば水を噴霧する噴霧装置である。撒水装置８は、水を２０μｍ〜３００μｍの粒状（ミスト）として噴霧することが蒸散効果を発揮するうえで好ましい。また、水を微細な粒状にして撒くことができるので、空気中で気化し、周囲の温度を下げることができる。
【００２６】
鉢植え植物７の鉢７１は、透水性を有していることが好ましい。具体的に、鉢７１は、植物の根及び土を覆う透水性シート７２と、透水性シート７２とともに植物の根及び土を収容する網状容器７３とを備えている。これにより、植物に撒水された水が透水性シート７２を介して鉢７１の表面から蒸発することになる。透水性シート７２は、例えばメッシュ状の布（繊維織物など）が採用されており、透水性シート７２自体にも植物を根付かせることができる。
なお、透水性を有しているのであれば陶器製の鉢を用いたり、溶岩石などで鉢の表面を覆ったりすることも可能である。
図４は、他の形態の鉢を示す断面図である。図４に示すように鉢７１ａは、植物の根及び土を覆うように溶岩石７４ａが設けられている。この溶岩石７４とともに植物の根及び土が網状容器７３ａに収容されるため、植物に撒水された水が溶岩石７４ａを介して鉢７１ａの表面から蒸発することになる。
【００２７】
次に、本実施形態に係る建物の温度上昇抑制構造１の作用について説明する。
まず、例えば夏場など、建物１００の温度上昇を抑制したい時期になると、ユーザは鉢植え植物７を塀部６に隣接するように濡れ縁４上に配置する。これにより、張出部３とともに鉢植え植物７が日光Ｌ１を遮ることになり、開口部２から建物１００内に進入する光を低減することができる。また、ユーザが撒水装置８をＯＮにすると、撒水装置８から鉢植え植物７に対して水が噴霧されるために、鉢植え植物７に水が供給されるとともに鉢植え植物７の周囲の温度も下げられることになる。なお、例えば図３に示すように、鉢植え植物７と、張出部３とは、太陽の南中時高度を参考に、夏場の日差しが濡れ縁４に直接当たらない寸法関係とすることが好ましい。
【００２８】
また、例えば冬場など、建物１００の温度を上昇させたい時期になると、ユーザは鉢植え植物７を開口部２から離れた地点に配置する（図３に示す二点鎖線Ｔ１の位置）。これにより、開口部２に注ぐ日光Ｌ２を鉢植え植物７が遮りにくくなって、開口部２から建物１００内に進入する光を増加させることができ、建物１００内部の温度が高められる。また、鉢植え植物７が移動可能であるために、常緑樹を植えることもでき、樹種の選択肢も広がることになる。
【００２９】
以上のように、本実施形態によれば、建物１００の開口部２に鉢植え植物７を対向配置できるので、張出部３とともに鉢植え植物７により建物１００の開口部２付近及び建物１００内部への日差しを遮ることができ、建物１００の開口部２付近及び建物１００内部の温度上昇を抑えることができる。さらに、開口部２に対向配置された鉢植え植物７に対して撒水装置８が撒水するので、この撒水によって鉢植え植物７周囲の温度を下げることができる。そして、鉢植え植物７の温度の低い空気を、開口部２を通じて建物１００内部に流入させることができるので、建物１００の温度上昇をさらに抑制することができる。
さらに、鉢植え植物７が可搬式であるので、開口部２から建物１００内に光を取り込みたいときには鉢植え植物７を別の場所に移動させて、開口部２までの光の通り道を確保することができる。
そして、撒水装置８によって鉢植え植物７に対する撒水が行われることにより、手動で撒水作業を行う場合と比しても水やりの手間を省くことができる。
【００３０】
また、透水性及び保水性を有する濡れ縁４上に鉢植え植物７が配置されているので、撒水装置８から撒かれた水が濡れ縁４の内部まで浸透し保たれることになる。これにより、水が乾くまでの時間を長くすることができ、気化熱による温度上昇抑制効果を長時間にわたって維持することができる。
また、塀部６が鉢植え植物７の鉢７１よりも高く形成されているので、この塀部６の近傍に鉢植え植物７を配置すれば、塀部６の影が鉢７１にかかることになり、鉢７１や鉢植え植物７の温度上昇を抑制することができる。
【００３１】
また、鉢植え植物７の鉢７１が透水性を有しているので鉢７１の表面からも水が気化することとなり、温度上昇をより抑制することができる。
また、開口部２の外側における周囲の一部に、複数の支柱５１間に架設された複数の建材５２が設けられているので、その複数の建材５２によって日光が遮られることになる。また、複数の建材５２は上下方向に互いに間隔をあけて並列配置されているので、気流の通り道は確保されることになる。これらのことから建物１００の温度上昇をより一層抑制することが可能となる。
なお、本発明は上記実施形態に限らず適宜変更可能である。
【符号の説明】
【００３２】
１      温度上昇抑制構造
２      開口部
３      張出部
４      濡れ縁
５      ルーバ
５１    支柱
５２    建材
６      塀部
７      鉢植え植物
７１  鉢
７２  透水性シート
７３  網状容器
８      撒水装置
１００      建物
１０１      壁部
【図１】
2015208236.tif 000003
【図２】
2015208236.tif 000004
【図３】
2015208236.tif 000005
【図４】
2015208236.tif 000006